(57)【要約】      （修正有）【課題】踏み台からの落下を防止したバランストレーニング装置を提供する。【解決手段】台座１０と、クランクと、踏み台３０と、回転慣性補助ローターセット４０とを含む。クランクは、相互に偏位状態に配置される第一係合部と第二係合部を備える。第一係合部は、台座に設けられ、第二係合部は、第一係合部を回転支点として回転する。踏み台は、クランクの第二係合部に設けられ、第一係合部を回転支点として、水平円周に沿って公転するか、あるいは、第二係合部を回転支点として自転する。回転慣性補助ローターセットは、台座と踏み台との間に配置され、第一ガイドローラー４１、第二ガイドローラー４２、フライホイール４３、及びベルトを備える。第一ガイドローラーが回転するとき、ベルトにより第二ガイドローラーとフライホイールとが連動する。ベルトが第一、第二ガイドローラーの間に掛けられているので、フライホイールが回転するとき、踏み台が回転するように慣性ルートを提供する。【選択図】図２
0003189437.tif 000002
【実用新案登録請求の範囲】
【請求項１】
台座１０と、クランク２０と、踏み台３０と、回転慣性補助ローターセット４０とを含むバランストレーニング装置において、
前記台座１０は、少なくとも複数の足部１１が設けられている予め形成した座体であり、該台座１０のプリセット位置には、組付部１２がさらに設けられており、
前記クランク２０は、相互に偏位状態に配置される第一係合部２１と第二係合部２２を備え、該第一係合部２１は、台座１０の組付部１２に設けられ、第二係合部２２は、第一係合部２１を回転支点として回転するように設けられており、
前記踏み台３０は、該クランク２０の第二係合部２２に設けられており、該第二係合部２２と踏み台３０が連結されることにより、該踏み台３０が第一係合部２１を回転支点として、水平円周に沿って公転しながら揺動するか、あるいは、第二係合部２２を回転支点として、自転しながら揺動するように設けられており、
前記回転慣性補助ローターセット４０は、台座１０と踏み台３０間に配置され、かつ少なくとも第一ガイドローラー４１と、第二ガイドローラー４２と、フライホイール４３と、第一、第二ガイドローラー４１、４２の間に掛けられているベルト４４とを備えてなり、該第一ガイドローラー４１とクランク２０の第一係合部２１とが同軸に固定されているので、該踏み台３０が公転しながら揺動するとき、該第一ガイドローラー４１が共に回転し、該第二ガイドローラー４２は、台座１０において、第一ガイドローラー４１から離れた位置に取り付けられており、フライホイール４３と第二ガイドローラー４２とが同軸に固定されているので、第一ガイドローラー４１が回転するとき、ベルト４４により第二ガイドローラー４２とフライホイール４３とが連動し、かつ該ベルト４４が第一、第二ガイドローラー４１、４２の間に掛けられているので、フライホイール４３が回転するとき、踏み台３０が公転しながら揺動するように慣性ルートを提供し、
使用者が踏み台３０に立って回転バランストレーニングを行うとき、該踏み台３０が公転しながら揺動するように慣性ルートを提供するので、踏み台３０の動き方向が不定になって、使用者が踏み台３０から落下することを防止し、使用上の安全性や利便性を向上させることを特徴とするバランストレーニング装置。
【請求項２】
該クランク２０の第二係合部２２の軸方向は、地面に対して垂直状態または傾斜状態中のいずれか一種の状態になっており、該踏み台３０は、第二係合部２２に対して、水平状態または傾斜状態中のいずれか一種の状態になっており、
第二係合部２２の軸方向が地面に対して傾斜状態に配置された場合、第二係合部２２と踏み台３０が連結されることにより、踏み台３０が自転または公転しながら揺動するとき、多方向の傾斜動きを実現することができることを特徴とする請求項１に記載のバランストレーニング装置。
【請求項３】
該踏み台３０と台座１０の間には、少なくとも１つの弾力補助ユニット５０が設けられ、かつ該弾力補助ユニット５０の両端がそれぞれ台座１０と踏み台３０に連結されることにより、該踏み台３０の移動を制限して、踏み台３０が適当な角度範囲で自転するようにし、
該踏み台３０が公転しながら揺動するとき、該弾力補助ユニット５０の張力により、踏み台３０が回転するときの安定性と安全性を向上させ、
該弾力補助ユニット５０は、弾力縄、スプリングまたは弾力棒中のいずれか一種であることを特徴とする請求項１または２に記載のバランストレーニング装置。
【請求項４】
該踏み台３０の表面には、軟質被覆シート６０がさらに設けられ、該軟質被覆シート６０は、ゴム、シリコンまたは軟質プラスチック中のいずれか一種で作られたものであることを特徴とする請求項３に記載のバランストレーニング装置。
【請求項５】
該踏み台３０をカーブ形に形成する場合、踏み台３０が水平円周に沿って公転しながら揺動するとき、使用者がサーフィンするようなバランストレーニングを行うことができることを特徴とする請求項４に記載のバランストレーニング装置。
【考案の詳細な説明】
【技術分野】
【０００１】
本考案は、バランストレーニング装置に関わり、特に、踏み台が回転する路線に慣性ルートを提供して、踏み台の動き方向が不定になることを避ける新規なバランストレーニング装置に関する。
【背景技術】
【０００２】
現代人のライフスタイルの変化に伴い、人々が定期的にアウトドアスポーツを行う時間や意欲が従来より減少している傾向にある。そのため、業者たちは、アウトドアスポーツを模擬した様々な室内用エクササイズグッズを開発した。例えば、ランニングマシン、ボード漕ぎマシン、またはバランストレーニングマシンなどである。それらはいずれも、広く普及され、よく見られるグッズである。本考案は、従来のバランストレーニングマシンの構造を改善することを目的とする。
【０００３】
バランストレーニングマシンとは、その名称の通りに、バランス感（サーフィンのようなバランス取りなど）をトレーニングする専用グッズである。従来の一般のバランストレーニングマシンは通常、大抵、台座、該底座の上方に設けられる踏み板、台座と踏み板との間に設けられる連結機構などから構成され、かつ該連結機構により該踏み板が回転及び揺動するように設けられている。使用者が踏み板に立った後、体のバランスを取るため、踏み板の動きに合わせて体を動かなければならないので、バランストレーニングを行うことができる。従来のバランストレーニングマシンにおいて、使用者が体を動かすことにより、踏み板の回転及び揺動を制御する。しかし、従来のバランストレーニングマシンに慣性ルートがないので、踏み板の動き方向が不定になる恐れがある。また、該バランストレーニングマシンを使用する者は、一般的バランス感が悪くて、トレーニングをするる方が多い。そのような使用者が、踏み板に立って踏み板の動きをうまく制御することができないので、バランスを崩して踏み板から落下して怪我をする恐れがある。すなわち、従来のバランストレーニングマシンの安全性がよくないので、使用者の使用意欲が低下し、商品の実用性や実用的価値が大幅に低下してしまう。
【０００４】
上述した従来の構造に存在している問題点を解決するため、踏み台が所定の路線に沿って回転及び揺動するように慣性ルートを提供することができる、新規なバランストレーニング装置開発することが、使用者及び関連業者の目標になっている。
【０００５】
それに鑑みて、考案者は、関連製品の製造、開発や設計に携わる仕事を長年間してきた経験に基づいて、厳密な設計及び実験を行った結果、上述した目的を実現することができる本考案を得た。
【考案の概要】
【考案が解決しようとする課題】
【０００６】
本考案は、バランストレーニング装置を提供することを目的とする。本考案が解決しようとする技術的課題は、より理想的で、実用性のある新規なバランストレーニング装置を開発することにある。
【課題を解決するための手段】
【０００７】
上述した課題を解決するため、本考案は、次のようなバランストレーニング装置を提供する。本考案のバランストレーニング装置は、台座と、クランクと、踏み台と、回転慣性補助ローターセットとを含む。台座は、予め形成した座体であり、少なくとも複数の足部が設けられている。該台座のプリセット位置には、組付部がさらに設けられている。クランクは、相互に偏位状態に配置される第一係合部と第二係合部を備えてなる。該第一係合部は、台座の組付部に設けられ、第二係合部は、第一係合部を回転支点として回転するように設けられている。踏み台は、該クランクの第二係合部に設けられる。該第二係合部と踏み台間が連結されることにより、該踏み台が第一係合部を回転支点として、水平円周に沿って公転しながら揺動するか、あるいは、第二係合部を回転支点として自転しながら揺動することができる。回転慣性補助ローターセットは、台座と踏み台との間に配置され、少なくとも、第一ガイドローラーと、第二ガイドローラーと、フライホイールと、第一、第二ガイドローラーとの間に掛けられているベルトとを備えてなる。該第一ガイドローラーとクランクの第一係合部とが、同軸に固定されているので、該踏み台が公転しながら揺動するとき、該第一ガイドローラーが共に回転する。該第二ガイドローラーは、台座において、第一ガイドローラーから離れた位置に取り付けられており、フライホイールと第二ガイドローラーとが同軸に固定されている。したがって、第一ガイドローラーが回転するとき、ベルトにより第二ガイドローラーとフライホイールとが連動される。、該ベルトが、第一、第二ガイドローラーとの間に掛けられているので、フライホイールが回転するとき、踏み台が公転しながら揺動するように慣性ルートを提供することができる。
【考案の効果】
【０００８】
上述した新規な構造を有する本考案は、従来技術に対して、次のような考案の効果を招来することができる。すなわち、使用者が踏み台に立って回転バランストレーニングを行うとき、該回転慣性補助ローターセットのベルトが第一、第二ガイドローラーの間に掛けられ、かつフライホイールが回転するので、踏み台の動き方向が不定になることを避けることができる。すなわち、該踏み台に慣性ルートを提供して、踏み台が安定に回転するようにする。それにより、使用者がバランスを崩して踏み台から落下することが防止し、使用上の安全性、利便性及び商品の実用性などのような種々の実用的効果を大幅に向上させることができる。
【図面の簡単な説明】
【０００９】
【図１】本考案のバランストレーニング装置を示す分解立体図である。
【図２】本考案のバランストレーニング装置を示す立体図である。
【図３】本考案のバランストレーニング装置を示す平面図である。
【図４】本考案の踏み台が第一係合部を回転支点とする回転状態になることを示す図である。
【図５】本考案のクランクの第二係合部に係る他の実施形態を示す構造立体図である。
【図６】本考案の踏み台が多方向に動くことを示す図である。
【図７】本考案の踏み台の表面に軟質被覆シートが設けられていることを示す立体図である。
【考案を実施するための形態】
【００１０】
図１〜図４に示すのは、本考案のバランストレーニング装置の好適な実施例である。これらの実施例は、本考案を説明するものであるが、本考案の構造を限定するものではない。本考案のバランストレーニング装置は、台座１０と、クランク２０と、踏み台３０と、回転慣性補助ローターセット４０とを含む。
【００１１】
台座１０は、予め形成した座体であり、少なくとも複数の足部１１が設けられている。該台座１０のプリセット位置には、組付部１２がさらに設けられている。
【００１２】
クランク２０は、相互に偏位状態に配置される第一係合部２１と第二係合部２２を備える。該第一係合部２１は、台座１０の組付部１２に設けられ、第二係合部２２は、第一係合部２１を回転支点として回転するように設けられている。
【００１３】
踏み台３０は、該クランク２０の第二係合部２２に設けられる。該第二係合部２２と踏み台３０が連結されることにより、該踏み台３０が少なくとも第一係合部２１を回転支点として、水平円周に沿って公転しながら揺動（図４の矢印Ｌ１）するか、あるいは、該踏み台３０が第二係合部２２を回転支点として、自転しながら揺動することができる。
【００１４】
回転慣性補助ローターセット４０は、台座１０と踏み台３０との間に配置される。回転慣性補助ローターセット４０は、少なくとも第一ガイドローラー４１と、第二ガイドローラー４２と、フライホイール４３と、第一、第二ガイドローラー４１、４２の間に掛けられているベルト４４とを備えてなる。該第一ガイドローラー４１とクランク２０の第一係合部２１とは、同軸に固定されている（例えば、溶接による固定など）。すなわち、該踏み台３０が公転しながら揺動するとき、該第一ガイドローラー４１が共に回転するように設けられている。該第二ガイドローラー４２は、台座１０において、第一ガイドローラー４１から離れた位置に取り付けられている。フライホイール４３と第二ガイドローラー４２とが同軸に固定されている。それにより、第一ガイドローラー４１が回転するとき、ベルト４４により、第二ガイドローラー４２とフライホイール４３とが連動するように設けられている。該ベルト４４が第一、第二ガイドローラー４１、４２の間に掛けられているので、フライホイール４３が回転するとき、踏み台３０が回転しながら揺動するように慣性ルートを提供する。
【００１５】
上述した構造形態により、使用者が踏み台３０に立って回転バランストレーニングを行う（即ち、使用者自身の肢体のバランスで、踏み台３０の回転方向を制御する）ことができる。該回転慣性補助ローターセット４０のベルト４４が、第一、第二ガイドローラー４１、４２の間に掛けられ、かつフライホイール４３が回転するので、踏み台３０が公転しながら揺動するとき、その動き方向が不定になることを避けることができる。すなわち、踏み台３０に慣性ルートを提供して、踏み台３０が安定に回転するようにする。したがって、バランス感の悪い使用者でも、容易に踏み台３０を制御しながら、トレーニングを行うことができるので、使用者がバランスを崩して、落下して怪我をすることが防止することができる。本考案は、使用者の様々なトレーニングニーズ需要を満たせるとともに、使用上の安全性、利便性及び商品の実用性などのような種々の実用的効果を大幅に向上させることができる。
【００１６】
図１、図３に示すように、該クランク２０の第二係合部２２の軸方向は、地面に対して垂直状態になっており、該踏み台３０は、第二係合部２２に対して水平状態になっている。あるいは、図５、図６に示すように、該第二係合部２２の軸方向は、地面に対して傾斜状態になっており、該踏み台３０は、該第二係合部２２に対して、傾斜状態に配置されている。第二係合部２２の軸方向が地面に対して傾斜状態に配置された場合、第二係合部２２と踏み台３０が連結されることにより、踏み台３０が自転または公転しながら揺動するとき、多方向の傾斜動きを実現することができる（図６の矢印Ｌ２）。
【００１７】
図２、図３に示すように、該踏み台３０と台座１０との間には、少なくとも１つの弾力補助ユニット５０がさらに設けられている。該弾力補助ユニット５０の両端はそれぞれ、台座１０と踏み台３０に連結されている。それにより、該踏み台３０の移動を制限して、踏み台３０が適当な角度範囲で自転するようにする。また、該踏み台３０が公転しながら揺動するとき、該弾力補助ユニット５０の張力により、踏み台３０が回転するときの安定性と安全性を向上させることができる。本実施例の弾力補助ユニット５０は、弾力縄、スプリングまたは弾力棒中のいずれか一種であるが、それらに限定されるものではない。
【００１８】
図７に示すように、該踏み台３０の表面には、軟質被覆シート６０がされに設けられている。該軟質被覆シート６０は、ゴム、シリコンまたは軟質プラスチック中の何れか一種で作られたものである。その以外、ラテックス、革などのような材料を軟質被覆シート６０の材料として使用してもよい。また、該軟質被覆シート６０の表面には、マッサージ突出部６１をさらに設けてもよい。この場合、使用者が踏み台３０に立ってバランストレーニングを行うとき、マッサージ効果を招来することができる。本考案の実施例に係る前記踏み台３０をカーブ形に形成することができる。この場合、踏み台３０が水平円周に沿って公転しながら揺動するとき、使用者がサーフィンするようなバランストレーニングの動作を行うことができるので、使用時の多様性を招来することができる。
【００１９】
本考案による効果は、次のとおりである。本考案の「バランストレーニング装置」は、主に台座、クランク、踏み台及び回転慣性補助ローターセットを備える新規な構造を有している。使用者が踏み台に立って回転バランストレーニングを行うとき、該回転慣性補助ローターセットのベルトが第一ガイドローラーと第二ガイドローラーとの間に掛けられ、且つフライホイールが回転するので、踏み台が公転しながら揺動する際、その動き方向が不定になることを避けることができる。すなわち、踏み台に慣性ルートを提供して、踏み台が安定に回転するようにする。それにより、使用者がバランスを崩して踏み台から落下することを防止することができるので、使用上の安全性、利便性及び商品の実用性などのような種々の実用的効果を大幅に向上させることができる。
【００２０】
上述した実施例に掲示されている内容は、本考案を具体的に説明するために用いた内容である。文中で専門用語で説明してきたが、それらは本考案の実用新案登録請求の範囲を限定するものではない。この分野の当業者が、本考案の要旨を逸脱しない範囲の設計の変更等があっても、当然に本考案に含まれる。
【符号の説明】
【００２１】
０５  バランストレーニング装置
１０  台座
１１  足部
１２  組付部
２０  クランク
２１  第一係合部
２２  第二係合部
３０  踏み台
４０  回転慣性補助ローターセット
４１  第一ガイドローラー
４２  第二ガイドローラー
４３  フライホイール
４４  ベルト
５０  弾力補助ユニット
６０  軟質被覆シート
６１  マッサージ突出部
【図１】
0003189437.tif 000003
【図２】
0003189437.tif 000004
【図３】
0003189437.tif 000005
【図４】
0003189437.tif 000006
【図５】
0003189437.tif 000007
【図６】
0003189437.tif 000008
【図７】
0003189437.tif 000009